(57)【要約】【課題】  複数の方向から観察できる画像数（＝ｍ）を増加させる場合であっても、画像表示装置１０のサイズを大きくすることなく元のサイズを維持することができ、簡易な構成で製造費用を増加させることのない画像表示装置等を提供する。【解決手段】視野角制御部１４は、映像表示装置１２にｍ周期のフレーム毎に同じ範疇に属する映像が表示される場合、ｋ番目（１≦ｋ≦ｍ）のフレームの映像Ｖｋをフィルタ１６の表面に対してｋ番目の方向で視認可能に視野角を制御することができる。映像表示装置１２にｍ＝２周期のフレーム毎に同じ範疇に属する映像が表示される場合、ｋ＝奇数時のフレームの映像Ｖ（奇数）とｋ＝偶数時のフレームの映像Ｖ（偶数）とをフィルタ１６の表面に対して各々反対側で視認可能に視野角を制御することができる。【選択図】  図１
2005244574.tif 000002
【特許請求の範囲】
【請求項１】
受像した画像を表示する画像表示装置であって、
送像側から送られた映像信号に基づく映像を、該映像信号に付加された１フレーム走査の終了及び次のフレーム走査への切替を示すフレーム同期信号に応じて各フレーム毎に表示する映像表示装置と、
前記映像表示装置の映像表示面を覆い、該映像表示装置に表示された映像の視野角を制御可能なフィルタと、
前記映像表示装置へ送られたフレーム同期信号に同期して、前記フィルタの視野角を切替える制御を行なう視野角制御部とを備えたことを特徴とする画像表示装置。
【請求項２】
請求項１記載の画像表示装置において、前記視野角制御部は、前記映像表示装置にｍ周期のフレーム毎に同じ範疇に属する映像が表示される場合、ｋ番目（１≦ｋ≦ｍ）のフレームの映像を前記フィルタの表面に対してｋ番目の方向で視認可能に視野角を制御することを特徴とする画像表示装置。
【請求項３】
請求項２記載の画像表示装置において、前記視野角制御部は、前記映像表示装置にｍ＝２周期のフレーム毎に同じ範疇に属する映像が表示される場合、ｋ＝奇数時のフレームの映像とｋ＝偶数時のフレームの映像とを前記フィルタの表面に対して各々反対側で視認可能に視野角を制御することを特徴とする画像表示装置。
【請求項４】
受像した画像を画像表示装置に表示するための画像表示プログラムであって、該画像表示装置のコンピュータに、
送像側から送られた映像信号に基づく映像を、該映像信号に付加された１フレーム走査の終了及び次のフレーム走査への切替を示すフレーム同期信号に応じて各フレーム毎に映像表示装置に表示するステップ、
前記映像表示装置へ送られたフレーム同期信号に同期して、該映像表示装置の映像表示面を覆い、該映像表示装置に表示された映像の視野角を制御可能なフィルタの視野角を切替える制御を行なう視野角制御ステップを実行させるための画像表示プログラム。
【請求項５】
請求項４記載の画像表示プログラムにおいて、前記視野角制御ステップは、前記映像表示装置にｍ周期のフレーム毎に同じ範疇に属する映像が表示される場合、ｋ番目（１≦ｋ≦ｍ）のフレームの映像を前記フィルタの表面に対してｋ番目の方向で視認可能に視野角を制御することを特徴とする画像表示プログラム。
【請求項６】
請求項５記載の画像表示プログラムにおいて、前記視野角制御ステップは、前記映像表示装置にｍ＝２周期のフレーム毎に同じ範疇に属する映像が表示される場合、ｋ＝奇数時のフレームの映像とｋ＝偶数時のフレームの映像とを前記フィルタの表面に対して各々反対側で視認可能に視野角を制御することを特徴とする画像表示プログラム。
【請求項７】
請求項４ないし６のいずれかに記載の画像表示プログラムを記録したコンピュータ読取り可能な記録媒体。
【請求項８】
受像した画像を画像表示装置に表示する画像表示方法であって、
送像側から送られた映像信号に基づく映像を、該映像信号に付加された１フレーム走査の終了及び次のフレーム走査への切替を示すフレーム同期信号に応じて各フレーム毎に映像表示装置に表示するステップと、
前記映像表示装置へ送られたフレーム同期信号に同期して、該映像表示装置の映像表示面を覆い、該映像表示装置に表示された映像の視野角を制御可能なフィルタの視野角を切替える制御を行なう視野角制御ステップとを備えたことを特徴とする画像表示方法。
【請求項９】
請求項８記載の画像表示方法において、前記視野角制御ステップは、前記映像表示装置にｍ周期のフレーム毎に同じ範疇に属する映像が表示される場合、ｋ番目（１≦ｋ≦ｍ）のフレームの映像を前記フィルタの表面に対してｋ番目の方向で視認可能に視野角を制御することを特徴とする画像表示方法。
【請求項１０】
請求項９記載の画像表示方法において、前記視野角制御ステップは、前記映像表示装置にｍ＝２周期のフレーム毎に同じ範疇に属する映像が表示される場合、ｋ＝奇数時のフレームの映像とｋ＝偶数時のフレームの映像とを前記フィルタの表面に対して各々反対側で視認可能に視野角を制御することを特徴とする画像表示方法。
【請求項１１】
請求項１ないし３のいずれかに記載の画像表示装置を備えた車載端末装置であって、該画像表示装置の視野角制御部は前記映像表示装置へ送られたフレーム同期信号に同期して、前記フィルタの視野角を該車載端末装置が搭載された車両内の座席位置に応じて切替える制御を行なうことを特徴とする車載端末装置。
【発明の詳細な説明】
【技術分野】
【０００１】
本発明は、受像した画像を表示する画像表示装置に関し、特に、送像側から送られた映像信号に基づく映像をフレーム同期信号に応じて切替えて表示する画像表示装置等に関する。
【背景技術】
【０００２】
近年、自動車内等のようにスペースが限られた場所で、車内の各席から車載端末装置等の複数種類の画面を見るための技術が開発されている。特許文献１には、１台のＬＣＤで２画面を同時に表示することにより運転席と助手席とから各々異なる画面を見ることができるＬＣＤが記載されている。当該ＬＣＤでは、画素および駆動系が２つのグループに分割されており、各グループに対応する視野角調整手段としてレンズが画素の表面上に貼設されている。
【０００３】
特許文献２には、視野角調整手段としてレンズ等の光学素子を用いた複数画像同時表示ディスプレイが記載されている。当該複数画像同時表示ディスプレイでは、光を発散あるいは集光する機能を有する回折格子またはレンズ等の光学素子を表示デバイスの画素に対応させて配置している。
【０００４】
一方、特許文献３にはパララックスバリア方式を応用した画像表示装置が記載されている。当該画像表示装置では、液晶表示素子に複数の方向別画像を同時に表示させ、多数のスリットを有するパララックスバリアにより各方向別に画像を観察できるような構成を用いている。
【特許文献１】特開平６−１８６５２６
【特許文献２】特開平６−３３２３５４
【特許文献３】特開平１１−２０５８２２
【発明の開示】
【発明が解決しようとする課題】
【０００５】
上述の特許文献１または２に記載された従来の技術では視野角調整手段としてレンズ等の光学素子を用いている。従って、複数の方向から観察できる画像数を増加させようとすると多くのレンズ等が必要となるため、装置のサイズも大きくなり自動車内等のようなスペースが限られた場所に設置することが困難になるという問題があった。一方、特許文献３に記載された従来の技術ではパララックスバリア方式を応用した画像表示装置を用いている。当該画像表示装置では液晶表示素子に複数の方向別画像を同時に表示させているため、複数の方向から観察できる画像数を増加させようとすると構成が複雑化し、製造費用が増大するという問題があった。
【０００６】
そこで、本発明の目的は、上記問題を解決するためになされたものであり、複数の方向から観察できる画像数を増加させる場合であっても、装置のサイズを大きくすることなく、簡易な構成で製造費用を増加させることのない画像表示装置等を提供することにある。
【課題を解決するための手段】
【０００７】
この発明の画像表示装置は、受像した画像を表示する画像表示装置であって、送像側から送られた映像信号に基づく映像を、該映像信号に付加された１フレーム走査の終了及び次のフレーム走査への切替を示すフレーム同期信号に応じて各フレーム毎に表示する映像表示装置と、前記映像表示装置の映像表示面を覆い、該映像表示装置に表示された映像の視野角を制御可能なフィルタと、前記映像表示装置へ送られたフレーム同期信号に同期して、前記フィルタの視野角を切替える制御を行なう視野角制御部とを備えたことを特徴とする。
【０００８】
ここで、この発明の画像表示装置において、前記視野角制御部は、前記映像表示装置にｍ周期のフレーム毎に同じ範疇に属する映像が表示される場合、ｋ番目（１≦ｋ≦ｍ）のフレームの映像を前記フィルタの表面に対してｋ番目の方向で視認可能に視野角を制御することができる。
【０００９】
ここで、この発明の画像表示装置において、前記視野角制御部は、前記映像表示装置にｍ＝２周期のフレーム毎に同じ範疇に属する映像が表示される場合、ｋ＝奇数時のフレームの映像とｋ＝偶数時のフレームの映像とを前記フィルタの表面に対して各々反対側で視認可能に視野角を制御することができる。
【００１０】
この発明の画像表示プログラムは、受像した画像を画像表示装置に表示するための画像表示プログラムであって、該画像表示装置のコンピュータに、送像側から送られた映像信号に基づく映像を、該映像信号に付加された１フレーム走査の終了及び次のフレーム走査への切替を示すフレーム同期信号に応じて各フレーム毎に映像表示装置に表示するステップ、前記映像表示装置へ送られたフレーム同期信号に同期して、該映像表示装置の映像表示面を覆い、該映像表示装置に表示された映像の視野角を制御可能なフィルタの視野角を切替える制御を行なう視野角制御ステップを実行させるための画像表示プログラムである。
【００１１】
ここで、この発明の画像表示プログラムにおいて、前記視野角制御ステップは、前記映像表示装置にｍ周期のフレーム毎に同じ範疇に属する映像が表示される場合、ｋ番目（１≦ｋ≦ｍ）のフレームの映像を前記フィルタの表面に対してｋ番目の方向で視認可能に視野角を制御することができる。
【００１２】
ここで、この発明の画像表示プログラムにおいて、前記視野角制御ステップは、前記映像表示装置にｍ＝２周期のフレーム毎に同じ範疇に属する映像が表示される場合、ｋ＝奇数時のフレームの映像とｋ＝偶数時のフレームの映像とを前記フィルタの表面に対して各々反対側で視認可能に視野角を制御することができる。
【００１３】
この発明の記録媒体は、本発明のいずれかに記載の画像表示プログラムを記録したコンピュータ読取り可能な記録媒体である。
【００１４】
この発明の画像表示方法は、受像した画像を画像表示装置に表示する画像表示方法であって、送像側から送られた映像信号に基づく映像を、該映像信号に付加された１フレーム走査の終了及び次のフレーム走査への切替を示すフレーム同期信号に応じて各フレーム毎に映像表示装置に表示するステップと、前記映像表示装置へ送られたフレーム同期信号に同期して、該映像表示装置の映像表示面を覆い、該映像表示装置に表示された映像の視野角を制御可能なフィルタの視野角を切替える制御を行なう視野角制御ステップとを備えたことを特徴とする。
【００１５】
ここで、この発明の画像表示方法において、前記視野角制御ステップは、前記映像表示装置にｍ周期のフレーム毎に同じ範疇に属する映像が表示される場合、ｋ番目（１≦ｋ≦ｍ）のフレームの映像を前記フィルタの表面に対してｋ番目の方向で視認可能に視野角を制御することができる。
【００１６】
ここで、この発明の画像表示方法において、前記視野角制御ステップは、前記映像表示装置にｍ＝２周期のフレーム毎に同じ範疇に属する映像が表示される場合、ｋ＝奇数時のフレームの映像とｋ＝偶数時のフレームの映像とを前記フィルタの表面に対して各々反対側で視認可能に視野角を制御することができる。
【００１７】
この発明の車載端末装置は、本発明のいずれかに記載の画像表示装置を備えた車載端末装置であって、該画像表示装置の視野角制御部は前記映像表示装置へ送られたフレーム同期信号に同期して、前記フィルタの視野角を該車載端末装置が搭載された車両内の座席位置に応じて切替える制御を行なうことを特徴とする。
【発明の効果】
【００１８】
本発明の画像表示装置等によれば、映像表示装置にｍ周期のフレーム毎に同じ範疇に属する映像が表示される場合、ｋ番目（１≦ｋ≦ｍ）のフレームの映像Ｖｋをフィルタの表面に対してｋ番目の方向で視認可能に視野角を制御することができる。映像表示装置にｍ＝２周期のフレーム毎に同じ範疇に属する映像が表示される場合、ｋ＝奇数時のフレームの映像Ｖ（奇数）とｋ＝偶数時のフレームの映像Ｖ（偶数）とをフィルタの表面に対して各々反対側で視認可能に視野角を制御することができる。
【００１９】
この結果、複数の方向から観察できる画像数（＝ｍ）を増加させる場合であっても、画像表示装置のサイズを大きくすることなく元のサイズを維持することができ、簡易な構成で製造費用を増加させることのない画像表示装置等を提供することができるという効果がある。
【発明を実施するための最良の形態】
【００２０】
以下、各実施例について図面を参照して詳細に説明する。
【実施例１】
【００２１】
図１は、本発明の実施例１における画像表示装置を示す。図１において、符号５は送像側から送られた映像信号Ｖと、映像信号Ｖに付加された１フレーム走査の終了及び次のフレーム走査への切替を示すフレーム同期信号Ｆとを入力する入力端子、７はフレーム同期信号Ｆを分離する分離部、１２は入力端子５から入力されたフレーム同期信号Ｆに応じて送像側から送られた映像信号Ｖを各フレーム毎に表示する映像表示装置、１６は映像表示装置１２の映像表示面を覆い、映像表示装置１２に表示された映像の視野角を制御可能なフィルタ、１４は画像表示装置１０へ送られ分離部７により分離されたフレーム同期信号Ｆに同期して、フィルタ１６の視野角を切替える制御を行なう視野角制御部、１０は映像表示装置１２、視野角制御部１４およびフィルタ１６から構成される本発明の実施例１における画像表示装置である。図１に示されるように、位置２０には観察者Ａ、位置２２には観察者Ｂ、位置２４には観察者Ｃがいて、フィルタ１６を介して表示される画像を観察しているものとする。
【００２２】
次に、本発明の実施例１における画像表示装置１０のコンピュータが実行する機能について説明する。図２は、本発明の実施例１における画像表示プログラムまたは画像表示方法の処理の流れをフローチャートで示す。図２に示されるように、まず送像側から送られた映像信号Ｖに基づく映像を、映像信号Ｖに付加された１フレーム走査の終了及び次のフレーム走査への切替を示すフレーム同期信号Ｆに応じて各フレーム毎に映像表示装置１２に表示する（ステップＳ１０）。次に、映像表示装置１２へ送られたフレーム同期信号Ｆに同期してフィルタ１６の視野角を切替える制御を行なう（視野角制御ステップ。ステップＳ１２）。
【００２３】
視野角制御部１４は、映像表示装置１２にｍ周期のフレーム毎に同じ範疇に属する映像が表示される場合、ｋ番目（１≦ｋ≦ｍ）のフレームの映像Ｖｋをフィルタ１６の表面に対してｋ番目の方向で視認可能に視野角を制御することができる。例えば、映像表示装置１２にｍ＝２周期のフレーム毎に同じ範疇に属する映像が表示される場合、ｋ＝奇数時のフレームの映像Ｖ（奇数）とｋ＝偶数時のフレームの映像Ｖ（偶数）とをフィルタ１６の表面に対して各々反対側で視認可能に視野角を制御することができる。具体的には、映像表示装置１２にはｍ＝２周期のフレーム毎に、ｋ＝奇数時のフレームの映像Ｖ（奇数）を位置２２側用として表示させ、ｋ＝偶数時のフレームの映像Ｖ（偶数）を位置２０側用として表示させる。視野角制御部１４は、ｋ＝奇数時のフレームの映像Ｖ（奇数）を表示させる際に、対応するフレーム同期信号Ｆに同期してフィルタ１６の視野角をＬＢ側で視認可能に視野角を制御する。一方、ｋ＝偶数時のフレームの映像Ｖ（偶数）を表示させる際に、対応するフレーム同期信号Ｆに同期してフィルタ１６の視野角をＬＡ側で視認可能に視野角を制御することができる。この結果、位置２２側の観察者Ｂは画像Ｖ（奇数）を観察することができると共に、位置２０側の観察者Ａは画像Ｖ（偶数）を観察することができる。但し、位置２４側の観察者ＣはＬＣ側には視野角が切替えられないため、いずれの画像も観察することはできない。
【００２４】
上述の画像表示装置１０を車載端末装置（不図示）に備えさせることもできる。この場合、図１に示される位置２０は自動車の運転席であり、位置２２は助手席であり、位置２４は後部座席となる。車載端末装置に備えられた画像表示装置１０の視野角制御部１４は、映像表示装置１２へ送られたフレーム同期信号Ｆに同期して、フィルタ１６の視野角を車載端末装置が搭載された車両内の座席位置２０等に応じて切替えることができる。具体的には、映像表示装置１２にはｍ＝２周期のフレーム毎に、ｋ＝奇数時のフレームの映像Ｖ（例えばＴＶ映像）を助手席２２側用として表示させ、ｋ＝偶数時のフレームの映像Ｖ（例えばナビゲーション画像）を運転席２０側用として表示させる。視野角制御部１４は、ｋ＝奇数時のフレームの映像Ｖ（ＴＶ映像）を表示させる際に、対応するフレーム同期信号Ｆに同期してフィルタ１６の視野角をＬＢ側で視認可能に視野角を制御する。一方、ｋ＝偶数時のフレームの映像Ｖ（ナビゲーション画像）を表示させる際に、対応するフレーム同期信号Ｆに同期してフィルタ１６の視野角をＬＡ側で視認可能に視野角を制御することができる。この結果、助手席２２側の観察者（搭乗者）Ｂは画像Ｖ（ＴＶ映像）を観察することができると共に、運転席２０側の観察者（運転手）Ａは画像Ｖ（ナビゲーション画像）を観察することができる。但し、後部座席２４側の観察者（搭乗者）ＣはＬＣ側には視野角が切替えられないため、いずれの画像も観察することはできない。
【００２５】
上述のように、視野角制御部１４は映像表示装置１２にｍ周期のフレーム毎に同じ範疇に属する映像が表示される場合、ｋ番目（１≦ｋ≦ｍ）のフレームの映像Ｖｋをフィルタ１６の表面に対してｋ番目の方向で視認可能に視野角を制御することができる。従ってｍ＝３周期として、ｋ＝１番目のフレームの映像Ｖ１を例えばあるチャネルのＴＶ画像とし、ｋ＝２番目のフレームの映像Ｖ２を例えば別のチャネルのＴＶ画像とし、ｋ＝３番目のフレームの映像Ｖ３を例えばナビゲーション画像とすることもできる。この結果、助手席２２側の搭乗者ＢはあるチャネルのＴＶ映像を観察することができ、後部座席２４側の搭乗者Ｃは別のチャネルのＴＶ映像を観察することができると共に、運転席２０側の運転手Ａはナビゲーション画像を観察することができる。上述の説明ではｍ＝２、３周期の場合を例にとりあげたが、これはあくまでも例示であってｍの取り得る値は２、３に限定されるものではない。
【００２６】
以上より、本発明の実施例１によれば、視野角制御部１４は、映像表示装置１２にｍ周期のフレーム毎に同じ範疇に属する映像が表示される場合、ｋ番目（１≦ｋ≦ｍ）のフレームの映像Ｖｋをフィルタ１６の表面に対してｋ番目の方向で視認可能に視野角を制御することができる。映像表示装置１２にｍ＝２周期のフレーム毎に同じ範疇に属する映像が表示される場合、ｋ＝奇数時のフレームの映像Ｖ（奇数）とｋ＝偶数時のフレームの映像Ｖ（偶数）とをフィルタ１６の表面に対して各々反対側で視認可能に視野角を制御することができる。この結果、複数の方向から観察できる画像数（＝ｍ）を増加させる場合であっても、画像表示装置１０のサイズを大きくすることなく元のサイズを維持することができ、簡易な構成で製造費用を増加させることのない画像表示装置等を提供することができる。
【実施例２】
【００２７】
図３は、上述した各実施例を実現するための本発明のコンピュータ・プログラムを実行する画像表示装置１０のコンピュータの内部回路３０を示すブロック図である。図３に示されるように、ＣＰＵ３１、ＲＯＭ３２、ＲＡＭ３３、画像制御部３６、フィルタ１６、コントローラ３７、入力制御部４０および外部インタフェース（Ｉ／Ｆ）部４４はバス４６に接続されている。図３において、上述の本発明のコンピュータ・プログラムは、ＲＯＭ３２、ディスク３８ａまたはＣＤ−ＲＯＭ３８ｎ等の記録媒体（脱着可能な記録媒体を含む）に記録されている。本発明のコンピュータ・プログラムは、ＲＯＭ３２からバス４６を介し、またはディスク３８ａ若しくはＣＤ−ＲＯＭ３８ｎ等の記録媒体からコントローラ３７を経由してバス４６を介しＲＡＭ３３へロードされる。入力制御部４０はマウス、キーボード等の入力操作部４２と接続され入力制御等を行う。画像メモリであるＶＲＡＭ３５は映像表示装置１２の少なくとも一画面分のデータ容量に相当する容量を有しており、画像制御部３６はＶＲＡＭ３５のデータを画像データへ変換して映像表示装置１２へ送出する機能を有している。外部Ｉ／Ｆ部４４は、入力端子５から映像信号Ｖまたはフレーム動機信号Ｆを受信する際の入出力インタフェース機能を有する。
【００２８】
上述のようにＣＰＵ３１が上述の本発明のコンピュータ・プログラムを実行することにより、本発明の目的を達成することができる。当該コンピュータ・プログラムは上述のようにＣＤ−ＲＯＭ３８ｎ等の記録媒体の形態でコンピュータＣＰＵ３１に供給することができ、当該コンピュータ・プログラムを記録したＣＤ−ＲＯＭ３８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００２９】
本発明の活用例として、車載端末装置に画像表示装置１０を備えるように適用することができる。この場合、画像表示装置１０の視野角制御部１４は映像表示装置１２へ送られたフレーム同期信号Ｆに同期して、フィルタ１６の視野角を車載端末装置が搭載された車両内の座席位置２０等に応じて切替える制御を行なうように適用することができる。
【図面の簡単な説明】
【００３０】
【図１】本発明の実施例１における画像表示装置１０を示す図である。
【図２】本発明の実施例１における画像表示プログラムまたは画像表示方法の処理の流れを示すフローチャートである。
【図３】本発明のコンピュータ・プログラムを実行する画像表示装置１０のコンピュータの内部回路３０を示すブロック図である。
【符号の説明】
【００３１】
５  入力端子、  ７  分離部、  １０  画像表示装置、  １２  映像表示装置、  １４  視野角制御部、  １６  フィルタ、  ２０，２２，２４  位置、  ３０  内部回路、  ３１  ＣＰＵ、  ３２  ＲＯＭ、  ３３  ＲＡＭ、  ３５  ＶＲＡＭ、  ３６  画像制御部、  ３７  コントローラ、  ３８ａ  ディスク、  ３８ｎ  ＣＤ−ＲＯＭ、  ４０  入力制御部、  ４２  入力操作部、  ４４  外部Ｉ／Ｆ部、  ４６  バス。
【図１】
2005244574.tif 000003
【図２】
2005244574.tif 000004
【図３】
2005244574.tif 000005